(57)【特許請求の範囲】
【請求項１】
上下に分離し且つこれ等上下各分離面の外周にネジ締め式フランジ継手等継手を設けて合体・再分離自在とすると共に上下両分離面もしくは片方分離面に凹所を設けて柱状の空間を形成し且つ当該柱状空間内にシリンダ主部形成体を上記分離・合体の操作を行うことにより装填した構成のシリンダと、シリンダ主部形成体の内周面に嵌着溝を設けて当該溝に嵌着した電極と、シリンダに上下向きとして穿設したロッド通し孔と、ロッド通し孔に上方から挿通したピストンロッドと、シリンダ主部形成体にピストンロッドにより上下動する状態として内蔵したピストンと、シリンダにシリンダ主部形成体内に連通する状態として穿設した汚水、上下水等検査対象液通し孔と、を備えて成ることを特徴とする流動電流計装置における荷電粒子センサー。
【発明の詳細な説明】
【０００１】
【発明の属する技術分野】
本発明は、たとえば汚水中の荷電粒子の量を電極を介して検出してそのデータを流動電流計に送ることによって汚れ度等を計測する等に供する流動電流計装置における荷電粒子センサーに関し、詳しくは内部清掃や電極等部品交換等を行い易くする工夫を施した流動電流計装置における荷電粒子センサーに関する。
【０００２】
【従来の技術】
従来知られているこの種の流動電流計装置における荷電粒子センサーは、図６に示すようなものであった。すなわち、シリンダ５１と、シリンダ５１の上に上下向きとして穿設したロッド通し孔５２と、ロッド通し孔５２に上方から挿通したピストンロッド５３と、シリンダ５１にピストンロッド５３により上下動する状態として内蔵したピストン５４と、シリンダ５１のピストン移動周面に上下配置で設けた上下１対の白金線製電極５５、５６と、シリンダ５１に同シリンダ５１に連通する状態として且つロッド通し孔５２を横切る状態として穿設した汚水通し孔５７と、シリンダ５１の底部に開設したプラグ５８付きドレン孔５９と、から成るものであって、エキセントリック軸装置６１により上記ピストン５４の上下運動をするようにしたものであった。
【０００３】
【発明が解決しようとする課題】
上記従来の技術において述べた流動電流計装置における荷電粒子センサーは、上記のような構成すなわちシリンダが長い一体の構成であったので、長期に亘る使用によりピストン５４および電極５５、５６のまわりが汚れたときに行う内部の清掃や電極等部品の交換等が行い難く、その作業に長い時間がかかってしまう等の欠陥があった。
【０００４】
本発明は、上記欠陥を解消する工夫を施した新規の流動電流計装置における荷電粒子センサーを提供することを目的とするものである。
【０００５】
【課題を解決するための手段】
上記目的を達成するために本発明に係る流動電流計装置における荷電粒子センサーは、上下に分離し且つこれ等上下各分離面の外周にネジ締め式フランジ継手等継手を設けて合体・再分離自在とすると共に上下両分離面もしくは片方分離面に凹所を設けて柱状の空間を形成し且つ当該柱状空間内にシリンダ主部形成体を上記分離・合体の操作を行うことにより装填した構成のシリンダと、シリンダ主部形成体の内周面に嵌着溝を設けて当該溝に嵌着した電極と、シリンダに上下向きとして穿設したロッド通し孔と、ロッド通し孔に上方から挿通したピストンロッドと、シリンダ主部形成体にピストンロッドにより上下動する状態として内蔵したピストンと、シリンダにシリンダ主部形成体内に連通する状態として穿設した汚水、上下水等検査対象液通し孔と、を備えて成るものである。
【０００６】
【実施例】
図１〜図５に示す本発明に係る実施例は、シリンダ１と、シリンダ１の上に上下向きとして穿設したロッド通し孔２と、ロッド通し孔２に上方から挿通したピストンロッド３と、シリンダ１にピストンロッド３により上下動する状態として内蔵したピストン４と、シリンダ１のピストン移動周面に上下配置で設けた上下１対の白金線製電極５、６と、シリンダ１に同シリンダ１に連通する状態として且つロッド通し孔２を横切る状態として穿設した汚水通し孔７と、シリンダ１の底部に開設したプラグ８付きドレン孔９と、から成るセンサ１０であって、エキセントリック軸装置１１により上記ピストン４の上下運動をするようにしたものであり、これ等センサ１０、エキセントリック軸装置１１は取付盤１２に取付けられている。
【０００７】
上記シリンダ１は、ピストン４の上下移動空間１４を横切る個所で上下に分離し且つこれ等上下各分離面の外周にネジ締め式フランジ継手１５、１６を設けて当該シリンダ１を合体・再分離自在とすると共に上下両分離面に上下の凹所１７、１８を対設して円柱状の空間１９を形成し、またこれとは別個に、円柱状空間１９の高さよりも僅かに低く内周径を上記ピストン４の外径と同じとし外周径を上記円柱状空間１９の周径と同じとしたシリンダ主部形成体２０を構成し、このシリンダ主部形成体２０の四方の面を切除してこれを上から見たときに角丸の四角形を呈する形状とし、当該シリンダ主部形成体２０の上下面に合成樹脂製ワッシャ２１、２２を当ててこれ等を上記円柱状空間１９に上記分離・合体の操作を行うことによって装填するようにし、更にシリンダ主部形成体２０の上下各面の内周縁をＬ状に切除して上記白金線製電極５、６の嵌着溝２３、２４を設けると共に同シリンダ主部形成体２０の外周における一つの平面部に縦向き凹溝２５を設け、この縦向き凹溝２５の底面における上下端個所に上記電極嵌着溝２３、２４に連通する線出孔２６を、また上記円柱状空間１９の周壁に配線孔２８をそれぞれ開設したものである。
【０００８】
また、上記エキセントリック軸装置１１は、上記取付盤１２に大きい角孔３１を開設し、この角孔３１の外側にモータ等取付ベース３２を配して当該取付ベース３２を角孔３１の切縁に重合し且つこの重合縁の上側辺の両端個所と下辺の中間個所とを上側用取付ネジ２９および下側用取付ネジ３０により締付けて取付盤１２に取付ベース３２を固定すると共にこの取付ベース３２に減速ギャ装置３４付きモータ３４をそのシャフト３５の先端部が上記ピストンロッド３の真上位置となる状態で固定し、このモータ３４のシャフト３５に偏心輪３６を取付ネジ３７およびキー３８により回転不能として固着し、この偏心輪３６にベアリング３９付き外輪部４０およびアーム部４１から成る運動方向変向部材４２を連結し、この変向部材４２のアーム部４２の先端と上記ピストンロッド３の上端とを二叉部４３、連結軸４４、ロッドエンド４５およびスナップピン４６により連結し、よって偏心輪３６の回転によりピストンロッド３およびピストン４を上下方向に往復動するようにしたものである。
【０００９】
上記実施例は、所定の場所に設置し、汚水通し孔７の入口側から出口側に向って汚水管路（図示せず）から分流して得た汚水を流すように配管すると共に上下の電極５、６と流動電流計装置（Ｓｔｒｅａｍｉｎｇ  ｃｕｒｒｅｎｔ  ｄｅｔｅｃｔｏｒ）とを接続し、この状態においてモータ３２を回転させてピストン４を上下に往復動の状態とし、よって汚水中の荷電粒子量を電極５、６を介して流動電流計装置に送って計測する等の用法に供するようにしたものである。
【００１０】
そして、上記のような用法に供しているうちにピストン４および電極５、６およびそのまわりが汚水により汚れてしまうので、これを定期的または不定期的に清掃している。
【００１１】
この清掃を行う場合にはフランジ１５、１６のネジを外してシリンダ１の下半分を分離し、この分離した状態で下半分内からシリンダ主部形成体２０およびワッシャ２１、２２等を抜き出して分解し、更にシリンダ主部形成体２０から電極５、６を外し、よってこれ等およびピストン４周辺の清掃作業を行ったり電極等部品を交換したりするようにしたものである。
【００１２】
また、上記清掃の際にピストンロッド３を外してこれも清掃したい等の場合には、先ず両方の上側用取付ネジ２９を外し状態とし且つ下側用取付ネジ３０を弛め状態としてから取付ベース３２を図において仮想線で示す位置に廻し倒すと共にスナップピン４６、連結軸４７および変向部材４２を外し、よってシャフト３５および偏心輪３６をピストンロッド３の真上からズレた位置すなわち当該ピストンロッド３の抜き出しスペースからズレた位置とし、この状態でピストンロッド３の抜き外し等の操作を行えばよい。
【００１３】
【発明の効果】
本発明は、上記のように上下に分離し且つこれ等上下各分離面の外周にネジ締め式フランジ継手等継手を設けて合体・再分離自在とすると共に上下両分離面もしくは片方分離面に凹所を設けて柱状の空間を形成し且つ当該柱状空間内にシリンダ主部形成体を上記分離・合体の操作を行うことにより装填した構成のシリンダと、シリンダ主部形成体の内周面に嵌着溝を設けて当該溝に嵌着した電極と、シリンダに上下向きとして穿設したロッド通し孔と、ロッド通し孔に上方から挿通したピストンロッドと、シリンダ主部形成体にピストンロッドにより上下動する状態として内蔵したピストンと、シリンダにシリンダ主部形成体内に連通する状態として穿設した汚水、上下水等検査対象液通し孔と、を備えて成ることを特徴とするので、使用によってピストン、電極等部品およびこれ等のまわりが汚れたときには、上記下半分の分離操作によって上記従来例のシリンダの略半分の長さに相当する状態を得てから内部分解をなして内部清掃や電極等部品交換を行うことが可能なものであって、上記欠陥を完全に達成する著効を奏するものである。
【図面の簡単な説明】
【図１】本発明の実施例を示す正面図である。
【図２】図１Ａ−Ａ線に沿う断面図である。
【図３】図１Ｂ−Ｂ線に沿う断面図である。
【図４】図１Ｃ−Ｃ線に沿う断面図である。
【図５】図１Ｄ−Ｄ線に面図である。
【図６】従来例を示す断面図である
【符号の説明】
１  シリンダ
２  ロッド通し孔
３  ピストンロッド
４  ピストン
５、６  電極
７  汚水通し孔
８  プラグ
９  ドレン孔
１０  センサ
１１  エキセントリック軸装置
１２  取付盤
１４  移動空間
１５、１６  フランジ継手
１７、１８  凹所
１９  円柱状空間
２０  シリンダ主部形成体
２１、２２  合成樹脂製ワッシャ
２３、２４  嵌着溝
２５  凹溝
２６  線出孔
２８  配線孔
２９  上側用取付ネジ
３０  下側用取付ネジ
３１  角孔
３２  取付ンベ−ス
３３  ギャ装置
３４  モータ
３５  シャフト
３６  偏心輪
３７  取付ネジ
３８  キー
３９  ベアリング
４０  外輪部
４１  アーム部
４２  変向部材
４３  二叉部
４４  連結軸
４５  ロッドエンド
４６  スナップピン
４８  締付ネジ
４９  締付リング
【図１】
0004180168.tif 000002
【図２】
0004180168.tif 000003
【図３】
0004180168.tif 000004
【図４】
0004180168.tif 000005
【図５】
0004180168.tif 000006
【図６】
0004180168.tif 000007